(57)【要約】【課題】  呼の着信側に対して、発信元に応じた動作を行う電話システムを提供する。【解決手段】  本発明は、発信側電話通信端末と、着信側電話通信端末と、上記発信側電話通信端末から発信された呼を、上記着信側電話通信端末に接続させる交換システムとを備える電話システムに関する。そして、本発明の交換システムは、発信側電話通信端末に係る識別情報と、着信側電話通信端末に係る識別情報と、発信側属性情報とを対応付けて登録する手段と、呼を着信側電話通信端末に接続させる際に、発信側電話通信端末の識別情報と、着信側電話通信端末の識別情報との組み合わせに対応する発信側属性情報を、登録されている情報から検索し、検索した発信側属性情報に応じた動作を行う手段とを有することを特徴とする交換システム。【選択図】      図１
2010004268.tif 000002
【特許請求の範囲】
【請求項１】
発信側電話通信端末から発信された呼を、着信側電話通信端末に接続させる交換システムにおいて、
上記発信側電話通信端末に係る発信側識別情報と、上記着信側電話通信端末に係る着信側識別情報と、上記発信側電話通信端末に係る属性を示す発信側属性情報とを対応付けて登録する発信側属性情報登録手段と、
上記発信側電話通信端末から呼が発信された際に、上記発信側識別情報と、上記着信側識別情報との組み合わせに対応する発信側属性情報を、上記発信側属性情報登録手段に登録されている情報から検索し、検出した発信側属性情報に応じた動作を行う対応動作手段と
を有することを特徴とする交換システム。
【請求項２】
上記対応動作手段は、上記着信側電話通信端末に呼を接続させる際に、上記検出した発信側属性情報を、上記着信側電話通信端末に通知することを特徴とする請求項１に記載の交換システム。
【請求項３】
上記発信側属性情報登録手段は、上記着信側電話通信端末に呼を接続後に、上記着信側電話通信端末から発信側属性情報に係る信号が与えられると、その発信側属性情報を、上記発信側識別情報と、上記着信側識別情報との組み合わせに対応付けて登録することを特徴とする請求項１又は２に記載の交換システム。
【請求項４】
呼を上記着信側電話通信端末に接続させる際に、上記発信側識別情報を上記着信側電話通信端末に通知する発信側識別情報通知手段と、
上記発信側識別情報通知手段による、上記着信側電話通信端末への上記発信側識別情報の通知を行うか否かの設定情報を保持し、その設定情報に応じて、上記発信側識別情報通知手段による上記発信側識別情報の通知を制御する通知制御手段とをさらに有し、
上記対応動作手段は、上記通知制御手段により、上記発信側識別情報が上記着信側電話通信端末に通知されない制御がされている場合において、上記着信側電話通信端末に呼を接続させる際に、上記検出した発信側属性情報を、上記着信側電話通信端末に通知する
ことを特徴とする請求項２又は３に記載の交換システム。
【請求項５】
発信側電話通信端末から発信された呼を、交換システムを介して接続する着信側電話通信端末において、
上記交換システムから、上記発信側電話通信端末に係る属性を示す発信側属性情報が通知された場合に、通知された発信側属性情報に応じた動作を行う対応動作手段
を有することを特徴とする着信側電話通信端末。
【請求項６】
発信側電話通信端末と、着信側電話通信端末と、上記発信側電話通信端末から発信された呼を、上記着信側電話通信端末に接続させる交換システムとを備える電話システムにおいて、
上記着信側電話通信端末として請求項５に記載の着信側電話通信端末を適用すると共に、
上記交換システムとして、請求項２に記載の交換システムを適用したこと
を特徴とする電話システム。
【請求項７】
発信側電話通信端末が接続される発信側交換装置と、着信側電話通信端末が接続される着信側交換装置との間の通信を中継する中継交換装置において、
上記発信側電話通信端末に係る発信側識別情報と、上記着信側電話通信端末に係る着信側識別情報と、上記発信側電話通信端末に係る属性を示す発信側属性情報とを対応付けて登録する発信側属性情報登録手段と、
上記発信側電話通信端末から呼が発信された際に、上記発信側識別情報と、上記着信側識別情報との組み合わせに対応する発信側属性情報を、上記発信側属性情報登録手段に登録されている情報から検索し、検出した発信側属性情報を、上記着信側交換装置に通知する情報通知手段と
を有することを特徴とする中継交換装置。
【請求項８】
発信側電話通信端末から発信され、中継交換装置を中継して到来した呼を、着信側電話通信端末に接続させる着信側交換装置において、
上記発信側電話通信端末から呼が発信された際に、上記交換中継交換装置から、上記発信側電話通信端末に係る属性を示す発信側属性情報を取得し、取得した発信側属性情報を、上記着信側電話通信端末に通知する情報取得通知手段
を有することを特徴とする着信側交換装置。
【発明の詳細な説明】
【技術分野】
【０００１】
本発明は、交換システム、着信側電話通信端末、電話システム、中継交換装置及び着信側交換装置に関し、例えば、発信側に関する情報を着信側に通知する電話システムに適用し得る。
【背景技術】
【０００２】
特許文献１に記載の方法では、発信側の電話端末から着信側の電話端末へ向けて呼の発信が、交換装置を介して行われた際に、発信側の電話番号を着信側に通知しない（発信者番号非通知）設定がされている場合、着信側の電話端末では鳴動させずに、発信番号の通知を促す音声メッセージ（ガイダンス）を流すことにより、着信側の電話端末のユーザの迷惑電話に対応する負担を軽減していた。
【特許文献１】特開平１１−６８９５２号公報
【発明の開示】
【発明が解決しようとする課題】
【０００３】
しかしながら、特許文献１に記載の方法では、発信側の番号が非通知というだけで、迷惑電話以外の通話、例えば、発信元が重要な顧客や、個人情報を保護する名目で発信番号非通知に設定した者など、着信側の電話端末のユーザが通話を希望する発信元に対しても呼を接続させないという問題があった。
【０００４】
そのため、呼の着信側に対して、発信元に応じた動作を行うことができる交換システム、着信側電話通信端末、電話システム、中継交換装置及び着信側交換装置が望まれている。
【課題を解決するための手段】
【０００５】
第１の本発明の交換システムは、（１）発信側電話通信端末から発信された呼を、着信側電話通信端末に接続させる交換システムにおいて、（２）上記発信側電話通信端末に係る発信側識別情報と、上記着信側電話通信端末に係る着信側識別情報と、上記発信側電話通信端末に係る属性を示す発信側属性情報とを対応付けて登録する発信側属性情報登録手段と、
上記発信側電話通信端末から呼が発信された際に、上記発信側識別情報と、上記着信側識別情報との組み合わせに対応する発信側属性情報を、上記発信側属性情報登録手段に登録されている情報から検索し、検出した発信側属性情報に応じた動作を行う対応動作手段とを有することを特徴とする。
【０００６】
第２の本発明の着信側電話通信端末は、（１）発信側電話通信端末から発信された呼を、交換システムを介して接続する着信側電話通信端末において、（２）上記交換システムから、上記発信側電話通信端末に係る属性を示す発信側属性情報が通知された場合に、通知された発信側属性情報に応じた動作を行う対応動作手段を有することを特徴とする。
【０００７】
第３の本発明の電話システムは、（１）発信側電話通信端末と、着信側電話通信端末と、上記発信側電話通信端末から発信された呼を、上記着信側電話通信端末に接続させる交換システムとを備える電話システムにおいて、（２）上記着信側電話通信端末として第２の本発明の着信側電話通信端末を適用すると共に、（３）上記交換システムとして、第１の本発明の交換システムを適用したことを特徴とする。
【０００８】
第４の本発明の中継交換装置は（１）発信側電話通信端末が接続される発信側交換装置と、着信側電話通信端末が接続される着信側交換装置との間の通信を中継する中継交換装置において、（２）上記発信側電話通信端末に係る発信側識別情報と、上記着信側電話通信端末に係る着信側識別情報と、上記発信側電話通信端末に係る属性を示す発信側属性情報とを対応付けて登録する発信側属性情報登録手段と、（３）上記発信側電話通信端末から呼が発信された際に、上記発信側識別情報と、上記着信側識別情報との組み合わせに対応する発信側属性情報を、上記発信側属性情報登録手段に登録されている情報から検索し、検出した発信側属性情報を、上記着信側交換装置に通知する情報通知手段とを有することを特徴とする。
【０００９】
第５の本発明の着信側交換装置は（１）発信側電話通信端末から発信され、中継交換装置を中継して到来した呼を、着信側電話通信端末に接続させる着信側交換装置において、（２）上記発信側電話通信端末から呼が発信された際に、上記交換中継交換装置から、上記発信側電話通信端末に係る属性を示す発信側属性情報を取得し、取得した発信側属性情報を、上記着信側電話通信端末に通知する情報取得通知手段を有することを特徴とする。
【発明の効果】
【００１０】
本発明によれば、呼の着信側に対して、発信元に応じた動作を行う電話システムを提供することができる。
【発明を実施するための最良の形態】
【００１１】
（Ａ）主たる実施形態
以下、本発明による交換システム、着信側電話通信端末、電話システム、中継交換装置及び着信側交換装置の一実施形態を、図面を参照しながら詳述する。
【００１２】
（Ａ−１）実施形態の構成
図１は、この実施形態の電話システム１の全体構成を示すブロック図である。
【００１３】
電話システム１は、発信側電話通信端末２、交換システム１０、着信側電話通信端末７を有している。
【００１４】
図１では、発信側電話通信端末２から発信された呼は、交換システム１０を介して、着信側電話通信端末７に接続される。
【００１５】
交換システム１０は、発信側電話通信端末２及び着信側電話通信端末７を接続し、発信側電話通信端末２から発信された呼を、着信側電話通信端末７に接続させるものであり、公衆電話網４に接続された発信側交換装置３、中継交換装置５、着信側交換装置６を有している。なお、発信側交換装置３は、既存の公衆電話網に適用される交換装置を適用することができる。
【００１６】
図１では、交換システム１０は、公衆電話網における呼を交換するシステムとして説明しているが、公衆電話網ではなく、例えば、ＩＰネットワークなどであっても良く、網（ネットワーク）の種類は限定されないものである。また、交換システム１０が、例えば、ＩＰネットワークにおける呼を交換するものである場合には、発信側交換装置３、中継交換装置５、着信側交換装置６は、それぞれＩＰネットワークに対応した交換装置を適用するようにしても良い。
【００１７】
また、以下の説明においては、交換システム１０は、公衆電話網における呼を交換するシステムとしているため、発信側電話通信端末２及び着信側電話通信端末７に係る識別情報は、それぞれの電話通信端末に係る電話番号であるものとするが、交換システム１０において識別可能なものであればよく、電話番号に限定されないものである。例えば、発信側電話通信端末２及び着信側電話通信端末７がＩＰ電話端末である場合には、ＩＰアドレスや、ドメイン名や、ＳＩＰ（Ｓｅｓｓｉｏｎ  Ｉｎｉｔｉａｔｉｏｎ  Ｐｒｏｔｏｃｏｌ）におけるユーザ名など、電話番号以外の識別情報を設定するようにしても良い。また、図１では、交換システム１０は、発信側交換装置３、中継交換装置５、着信側交換装置６と、３つの交換装置を有しているが、交換システム１０に配置される交換装置の数は限定されないものである。また、交換システム１０において、発信側電話通信端末２から発信された呼を、着信側電話通信端末７に接続するまでに中継する交換装置の数は限定されないものである。
【００１８】
また、図１においては、説明を簡易にするため、電話システム１上に配置されている電話通信端末は、発信側電話通信端末２、着信側電話通信端末７の２台の構成として記載しているが、電話システム１上に配置する電話通信端末の数や、呼の発信先は限定されないものである。
【００１９】
発信側交換装置３は、発信側電話通信端末２及び公衆電話網４と接続している交換装置である。図１においては、発信側交換装置３は、発信側電話通信端末２から着信側電話通信端末７に向けて発信された呼を、中継交換装置５を介して着信側交換装置６に接続されている着信側電話通信端末７に接続させるものである。
【００２０】
中継交換装置５は、交換装置間の通信を中継するものである。図１においては、中継交換装置５は、発信側交換装置３と着信側交換装置６との間の通信を中継する機能を担っている。
【００２１】
着信側交換装置６は、着信側電話通信端末７及び公衆電話網４と接続している交換装置である。図１においては、着信側交換装置６は、発信側電話通信端末２から発信され、中継交換装置５を介して到達した呼を、着信側電話通信端末７に接続させるものである。
【００２２】
発信側電話通信端末２は、発信側交換装置３に接続されている電話通信端末であり、着信側電話通信端末７は、着信側交換装置６に接続されている電話通信端末である。図１においては、発信側電話通信端末２、着信側電話通信端末７は、公衆電話網４に接続される電話端末（例えば、固定電話端末や携帯電話端末など）であるものとするが、公衆電話網４ではなく、ＩＰネットワークに接続される場合には、着信側電話通信端末７は、着信側交換装置６にはＩＰ電話端末を適用しても良い。また、着信側電話通信端末７、着信側交換装置６には、パソコンなどの情報処理装置上に、ソフトウェアで呼処理、音声信号処理などを実現したソフトフォンを適用しても良い。また、発信側電話通信端末２、着信側電話通信端末７は、例えば、ＦＡＸ端末や、モデムを用いて通信する情報処理装置（例えば、パソコン）など、電話と同じ通話路を用いて通信する端末としても良い。なお、着信側電話通信端末７は、既存の電話通信端末を適用することができる。このように、発信側電話通信端末２、着信側電話通信端末７の種類は限定されないものである。
【００２３】
交換システム１０では、着信側電話通信端末７に呼を接続させる際に、発信側電話通信端末２に係る識別情報を通知する手段を有しているものとする。この実施形態においては、例として、交換システム１０が着信側電話通信端末７に通知するのは、発信側電話通信端末２の電話番号（以下、「発信側番号」という）として説明する。また、交換システム１０では、ユーザ（例えば、発信側電話通信端末２のユーザ）の操作（例えば、プッシュボタンの操作）や、登録情報（例えば、加入者情報）に応じて、着信側電話通信端末７に発信番号を通知しない（発信側番号非通知）ように設定することもできるものとする。交換システム１０が、発信側番号を着信側電話通信端末７に通知する構成、通知する内容、発信側番号を非通知／通知の設定を切り替える構成などについては、既存の公衆電話網における交換システムに用いられている、発信者番号の通知／非通知を実現する手段と同様のものを用いることができる。
【００２４】
また、交換システム１０では、発信側電話通信端末２から着信側電話通信端末７に向けて、発信側番号非通知で呼が発信された場合でも、単に発信側番号非通知として、着信側電話通信端末７に接続させるだけでなく、発信元に応じた所定の動作を行うものとする。
【００２５】
交換システム１０では、発信側電話通信端末２の発信側番号と、着信側交換装置６の電話番号（以下、「着信側番号」という）との組み合わせに対応付けて、発信側電話通信端末２の発信側番号の属性を示す情報を登録する手段（後述）を有している。この実施形態の交換システム１０では、例えば、上述の発信側番号の属性を示す情報として、発信側番号の属性を示す番号（以下、「発信側属性番号」という）を登録するものとする。そして、発信側電話通信端末２から着信側電話通信端末７に向けて、発信側番号非通知で呼が発信された場合には、単に発信側番号非通知として、着信側電話通信端末７に接続させるだけでなく、上述の発信側属性番号を通知する。そして、着信側電話通信端末７では、通知された発信側属性番号に応じた動作を行う。
【００２６】
着信側電話通信端末７において、通知された発信側属性番号に応じた動作としては、例えば、着信を拒否したり、鳴動させずに発信番号の通知を促す音声メッセージ（ガイダンス）を流したり、そのまま呼を接続させたりなどを行うことが挙げられる。着信側電話通信端末７では、例えば、通知された発信側属性番号が「１００」だった場合はその呼の発信元（発信側電話通信端末２）のユーザは、着信側電話通信端末７のユーザの重要顧客であることを示し、通知された発信側属性番号が「２００」だった場合はその呼の発信元（発信側電話通信端末２）のユーザは、迷惑電話業者であることを示すものであったものとすると、重要顧客の場合（発信側属性番号＝１００）には呼をそのまま接続し、迷惑電話業者であった場合（発信側属性番号＝２００）には呼を拒否したりなどを行う。なお、上述の発信側番号の属性を示す情報の形式は、番号でも良いし、文字列であっても良くその形式は限定されないものである。また、着信側電話通信端末７では、呼が着信した際に、通知された発信側属性番号や、発信側属性番号に係る情報（例えば、「重要顧客」や「迷惑電話業者」などを）を出力し、ユーザに着信した呼の発信元を認識させるようにしても良い。着信側電話通信端末７が通知された発信側属性番号や、発信側属性番号に係る情報を出力する方法としては、ディスプレイ表示するようにしても良いし、音声表示するようにしても良く、その出力方法は限定されないものである。
【００２７】
また、着信側電話通信端末７がＦＡＸ端末など、通話以外を目的とした端末であった場合には、例えば、着信側電話通信端末７のユーザが必要としない発信元からのデータ（ＦＡＸ）受信を拒否したり、受信しても印刷や記憶をさせないなどの動作を行うようにしても良い。
【００２８】
また、図１において図示は省略しているが、着信側電話通信端末７に、発信側属性番号ごとに対応する動作の内容を登録する手段を備え、その登録内容はユーザの操作により編集可能なものとしても良い。なお、着信側電話通信端末７は、発信側属性番号ごとに対応する動作の内容を登録し、登録内容に基づいて動作する手段を有すること以外については既存の電話通信端末と同様のものである。
【００２９】
また、交換システム１０において、発信側属性番号は、予め登録するようにしても良いし、着信側電話通信端末７のユーザの操作に応じて設定するようにしても良く、その登録方法は限定されないものである。例えば、発信側電話通信端末２から発信側番号非通知で、着信側電話通信端末７に呼の着信があった際に、着信側電話通信端末７のユーザが、例えば、プッシュボタンの操作などにより、発信側属性番号を交換システム１０に入力した場合には、その呼の発信側電話番号と、着信側電話番号との組み合わせに対応した発信側属性番号として登録するようにしても良い。
【００３０】
この実施形態では、例えば、発信側電話番号が「０４ＡＢ−Ｊ」で、着信側電話番号が「０３ＡＢＣ−Ｊ」で、入力された発信側属性番号が「１００」であった場合には、「０４ＡＢ−Ｊ＝０３ＡＢＣ−Ｊ―１００」という情報を登録するものとする。そして、交換システム１０では、発信側電話番号が「０４ＡＢ−Ｊ」で、着信側電話番号が「０３ＡＢＣ−Ｊ」で、かつ、発信側番号非通知の呼が発信された場合には、交換システム１０では、「０４ＡＢ−Ｊ＝０３ＡＢＣ−Ｊ」と一致する情報が含まれている登録情報が検索され、上述の「０４ＡＢ−Ｊ＝０３ＡＢＣ−Ｊ―１００」が登録されている場合には、その情報が一致するものとして検出され、付加されている発信側属性番号「１００」を抽出する。以降の説明において、交換システム１０には、例として上述の「０４ＡＢ−Ｊ＝０３ＡＢＣ−Ｊ―１００」（発信側電話番号＝着信側電話番号−発信側属性番号）の形式の情報を登録するものとして説明するが、発信側番号と着信側番号との組み合わせごとに対応する発信側属性番号を登録して、検索することができればテーブル形式で登録しても良く、登録する情報の形式は限定されないものである。また、交換システム１０では、着信側電話通信端末７に係る加入者情報において、発信側番号ごとに対応する発信側属性番号を登録することにより、発信側番号と着信側番号との組み合わせごとに対応する発信側属性番号を定義するようにしても良い。また、交換システム１０では、発信側番号と着信側番号との組み合わせに対応する発信側属性番号を検索した結果、該当する情報を検出できなかった場合には、未登録である旨の情報を着信側電話通信端末７に通知するようにしても良い。この実施形態の交換システム１０では、該当する発信側属性番号が検出できなかった場合には、未登録である旨の情報として、例えば「＊＊＊」という情報を着信側電話通信端末７に通知するものとする。
【００３１】
次に、交換システム１０内の発信側交換装置３、中継交換装置５、着信側交換装置６において、上述のような、発信側属性番号の登録及び通知を行う構成例の詳細について説明する。
【００３２】
図２は着信側交換装置６内部の機能的構成について示したブロック図である。
【００３３】
着信側交換装置６は、制御部６１、スイッチ６２、番号識別装置６３を有している。
【００３４】
制御部６１は、着信側交換装置６の全体の動作を制御するものであり、スイッチ５３は、着信側交換装置６において、他の装置からの呼を交換する機能などを担っている。制御部６１及びスイッチ６２は、既存の交換装置における制御部及びスイッチとほぼ同様のものであるので詳しい説明は省略する。また、図２においては、図示を省略しているが、着信側交換装置６は交換装置として必要な他の構成も有しているものとする。また、番号識別装置６３は、着信側交換装置６上に配置されていることに限定されず、他の交換装置や、公衆電話網４上に単独の装置として配置するようにしても良い。
【００３５】
番号識別装置６３は、着信側交換装置６において、発信側属性番号に係る制御を行うもので、中継交換機側番号整合送出部６３１、番号確認部６３２を有している。
【００３６】
番号確認部６３２は、着信側電話通信端末７から、着信側交換装置６を介して発信側属性番号の登録要求を受け付けたり、着信側電話通信端末７に発信側属性番号を通知したりするものであり、着信側電話通信端末７との間で発信側属性番号に係る制御のインタフェースの機能を担っている。
【００３７】
着信側交換装置６が、発信側電話通信端末２から発信側番号非通知で発信された呼を、着信側電話通信端末７に着信させた場合に、番号確認部６３２は、着信側電話通信端末７から発信側属性番号の登録要求を受け付けると、その登録要求を中継交換機側番号整合送出部６３１を介して中継交換装置５に通知する。
【００３８】
また、着信側交換装置６が、発信側電話通信端末２から発信側番号非通知で発信された呼を、着信側電話通信端末７に着信させる際に、番号確認部６３２は、発信側電話通信端末２に対応する発信側属性番号を、中継交換機側番号整合送出部６３１を介して中継交換装置５に問い合わせ、返答された発信側属性番号を、着信側電話通信端末７に通知する。また、番号確認部６３２は、中継交換装置５への発信側属性番号の問い合わせの返答が、未登録であった場合には、着信側電話通信端末７に発信側属性番号が未登録である旨の通知（＊＊＊）をする。
【００３９】
中継交換機側番号整合送出部６３１は、スイッチ６２を介して、中継交換装置５と接続し、番号確認部６３２と中継交換装置５との間の通信を制御するインタフェースの機能を担っている。
【００４０】
図３は中継交換装置５内部の機能的構成について示したブロック図である。
【００４１】
中継交換装置５は、制御部５１、スイッチ５２、番号識別／割当装置５３を有している。
【００４２】
制御部５１、スイッチ５２は、既存の交換装置における制御部及びスイッチとほぼ同様のものであるので詳しい説明は省略する。また、図３においては、図示を省略しているが、中継交換装置５は交換装置として必要な他の構成も有しているものとする。また、番号識別／割当装置５３は、中継交換装置５上に配置されていることに限定されず、他の交換装置や、公衆電話網４上に単独の装置として配置するようにしても良い。
【００４３】
番号識別／割当装置５３は、中継交換装置５において発信側属性番号に係る登録（割当）及び制御を行うものであり、番号送出部５３１、番号識別部５３２、番号割当部５３３を有している。
【００４４】
番号送出部５３１は、着信側交換装置６（番号識別装置６３の番号確認部６３２）から、発信側属性番号の登録要求の通知を受け付けたり、着信側交換装置６（番号識別装置６３の番号確認部６３２）からの発信側属性番号の問い合わせに返答をしたりするものであり、着信側交換装置６（番号識別装置６３の番号確認部６３２）との間で発信側属性番号に係る制御のインタフェースの機能を担っている。
【００４５】
番号送出部５３１は、着信側交換装置６（番号識別装置６３の番号確認部６３２）から、発信側属性番号の登録要求が通知されると、その要求を、さらに番号識別部５３２に通知する。
【００４６】
また、番号送出部５３１は、着信側交換装置６（番号識別装置６３の番号確認部６３２）から、発信側属性番号の問い合わせが通知されると、その問い合わせをさらに番号識別部５３２に通知し、その問い合わせの結果については番号割当部５３３から返答を受け、その返答をさらに、着信側交換装置６（番号識別装置６３の番号確認部６３２）に通知する。
【００４７】
番号識別部５３２は、番号送出部５３１から、発信側属性番号の登録要求が通知されると、その登録要求をさらに、番号割当部５３３に通知する。また、番号識別部５３２は、番号送出部５３１から、発信側属性番号の問い合わせが通知されると、その問い合わせをさらに番号割当部５３３に通知する。
【００４８】
また、番号識別部５３２は、番号送出部５３１から、発信側属性番号の登録要求や、発信側属性番号の問い合わせの通知があった際に、その要求元（着信側電話通信端末７）に係る情報（例えば、加入者情報）を参照し、その要求元が、発信側属性番号を通知するサービスに加入していて、かつ、そのサービスを有効にする設定が登録されている場合にのみ、番号送出部５３１からの通知を、さらに番号割当部５３３に通知するようにしても良い。上述の発信側属性番号を通知するサービスに加入しているか否かの登録情報は、例えば、ユーザ（例えば、着信側電話通信端末７のユーザ）の操作（例えば、プッシュボタンの操作）に応じて設定を変更するようにしても良く、その登録方法は限定されないものである。また、上述の発信側属性番号を通知するサービスに加入しているか否かの登録情報は、番号識別／割当装置５３内に登録するようにしても良いし、図１において図示は省略してるが、例えば、電話システム１における加入者情報を管理しているデータベースなどに登録して参照するようにしても良い。
【００４９】
また、番号識別部５３２は、番号送出部５３１から、発信側属性番号の登録要求、又は、発信側属性番号の問い合わせが通知されると、その要求元である着信側電話通信端末７の着信側番号と、発信側電話通信端末２の発信側番号とを、番号割当部５３３に通知する。
【００５０】
番号識別部５３２が、番号送出部５３１から発信側属性番号の登録要求を受け付けた際に、発信側電話通信端末２の発信側番号を取得する方法としては、例えば、着信側電話通信端末７の着信側番号に基づいて、着信側電話通信端末７が現在通話中の呼、又は直前に通話していた呼について制御部５１へ問い合わせて、発信側電話通信端末２の発信側番号を取得しても良い。
【００５１】
なお、発信側番号非通知の場合に、発信側交換装置３から、中継交換装置５に、発信側番号が通知されない構成である場合には、番号識別部５３２は、発信側電話通信端末２の発信側番号を、発信側交換装置３に問い合わせるようにしても良い。このように、中継交換装置５（制御部５１）自体が、発信側電話通信端末２の発信側番号を通知されていなくても、着信側電話通信端末７の着信側番号から、中継交換装置５において現在接続中又は接続していた呼のいずれが該当するかは把握できるので、多くの交換装置を経由していた場合でも、該当する呼を中継に係る交換装置をたどることにより、発信側電話通信端末２の発信側番号を取得しても良い。また、交換システム１０において、電話システム１全体の呼制御を行う呼制御システムが配置されている場合には、その呼制御システムに問い合わせることにより、発信側電話通信端末２の発信側番号を取得するようにしても良い。このように、番号識別部５３２において、発信側属性番号の登録要求に係る発信側電話通信端末２の発信側番号を取得する方法は限定されないものである。
【００５２】
番号割当部５３３は、発信側属性番号登録部５３３ａを有しており、番号識別部５３２から、発信側属性番号の登録要求が通知された場合には、発信側電話通信端末２の発信側番号と、着信側電話通信端末７の着信側番号との組み合わせにその登録要求に係る発信側属性番号とを対応付けて、発信側属性番号登録部５３３ａに登録する。また、番号割当部５３３は、番号識別部５３２から、発信側属性番号の問い合わせが通知されると、発信側電話通信端末２の発信側番号と、着信側電話通信端末７の着信側番号との組み合わせに対応する発信側属性番号を、登録している情報から検索して、検出した発信側属性番号を、番号送出部５３１に通知する。なお、番号割当部５３３では、登録する発信側属性番号は、着信側電話通信端末７からの登録要求に含まれる情報である。また、発信側電話通信端末２の発信側番号及び、着信側電話通信端末７の着信側番号は、上述の通り番号識別部５３２から登録要求の通知と共に通知される。
【００５３】
（Ａ−２）実施形態の動作
次に、以上のような構成を有するこの実施形態の電話システム１の動作を説明する。
【００５４】
まず、電話システム１において、発信側属性番号が登録される際の動作について説明し、その後に、電話システム１において発信側属性番号が通知される動作について説明する。
【００５５】
図４は、交換システム１０において発信側属性番号が登録される動作について示したシーケンス図である。
【００５６】
図５は、交換システム１０から着信側電話通信端末７に、発信側属性番号が通知される動作について示したシーケンス図である。
【００５７】
図４では、交換システム１０（番号識別／割当装置５３）に、まだ着信側電話通信端末７に関する発信側属性番号が、まだ１件も登録されていない状態から動作を開始するものとして説明する。また、図４においては、着信側電話通信端末７の着信側番号が「０３ＡＢＣ−Ｊ」、発信側電話通信端末２の発信側番号が「０４ＡＢ−Ｊ」であるものとする。また、図４、図５においては、発信側電話通信端末２のユーザは、着信側電話通信端末７のユーザにとって重要顧客であるものとする。
【００５８】
まず、発信側電話通信端末２から、着信側電話通信端末７に向けて、発信側番号非通知で呼が発信され（Ｓ１０１）、その呼が着信側交換装置６に到達すると、着信側交換装置６において、番号識別装置６３を介して、中継交換装置５（番号識別／割当装置５３）に、その到達した呼に係る発信側属性番号が問い合わせされる（Ｓ１０２、Ｓ１０３）。
【００５９】
次に、番号識別／割当装置５３では、着信側交換装置６から問い合わせのあった呼の、発信元（発信側電話通信端末２）の番号と、発信先（着信側電話通信端末７）の番号とに基づいて、該当する発信側属性番号が検索されるが、上述の通り、この時点では、着信側電話通信端末７に係る発信側属性番号はまだ登録されていないので、「未登録」である旨が、着信側交換装置６ｃ（番号識別装置６３）に通知される（Ｓ１０４、Ｓ１０５）。
【００６０】
次に、着信側交換装置６から着信側電話通信端末７に、呼び出し信号と共に、該当する発信側属性番号が未登録であることを示す「＊＊＊」が与えられ、「＊＊＊」又は、発信側属性番号が未登録の発信元からの着信があった旨が着信側電話通信端末７のユーザに出力される（Ｓ１０６）。
【００６１】
次に、ユーザの操作により、着信側電話通信端末７が応答すると、発信側電話通信端末２と着信側電話通信端末７との間で通話が確立される（Ｓ１０７）。
【００６２】
そして、着信側電話通信端末７のユーザは、通話において、その通話相手である発信側電話通信端末２のユーザが重要顧客であるということが認識できるので、発信側属性番号として重要顧客であることを示す「１００」の登録を要求する信号が、例えば、プッシュボタンなどを用いて、ユーザにより着信側電話通信端末７に入力され、その登録要求の信号が着信側電話通信端末７に与えられたものとする（Ｓ１０８）。
【００６３】
次に、着信側交換装置６では、着信側電話通信端末７から与えられた登録要求が、番号識別装置６３を介して中継交換装置５（番号識別／割当装置５３）に通知される（Ｓ１０９、Ｓ１１０）。
【００６４】
発信側属性番号（１００）の登録要求が、着信側交換装置６（番号識別装置６３）から与えられると、中継交換装置５（番号識別／割当装置５３）では、その登録要求に係る呼の発信側（発信側電話通信端末２）の番号（０４ＡＢＣ−Ｊ）と、着信側（着信側電話通信端末７）の番号（０３ＡＢＣ−Ｊ）との組み合わせに、発信側属性番号（１００）を対応付けて、「０４ＡＢ−Ｊ＝０３ＡＢＣ−Ｊ―１００」という情報が登録される（Ｓ１１１）。
【００６５】
そして、その後、発信側電話通信端末２と、着信側電話通信端末７との間の通話は終了する（Ｓ１１２）。
【００６６】
次に、上述の図４のフローチャートに示す動作により、番号識別／割当装置５３に登録された発信側属性番号（１００）が、着信側電話通信端末７に通知される場合の動作について、図５を用いて説明する。
【００６７】
まず、発信側電話通信端末２から、着信側電話通信端末７に向けて、発信側番号非通知で呼が発信され（Ｓ２０１）、その呼が着信側交換装置６に到達すると、着信側交換装置６において、番号識別装置６３を介して、中継交換装置５（番号識別／割当装置５３）に、その到達した呼に係る発信側属性番号が問い合わせされる（Ｓ２０２、Ｓ２０３）。
【００６８】
次に、番号識別／割当装置５３では、着信側交換装置６から問い合わせのあった呼の、発信側（発信側電話通信端末２）の番号（０４ＡＢＣ−Ｊ）と、着信側（着信側電話通信端末７）の番号（０３ＡＢＣ−Ｊ）との組み合わせに該当する、発信側属性番号が登録されているか否かが検索され、上述のステップＳ１１１において登録された「０４ＡＢ−Ｊ＝０３ＡＢＣ−Ｊ―１００」という情報が該当する情報として検出される。そして、番号識別／割当装置５３では、発信側属性番号として「１００」が抽出され、その発信側属性番号（１００）が、着信側交換装置６（番号識別装置６３）に返答される（Ｓ２０４、Ｓ２０５）。
【００６９】
次に、着信側交換装置６から着信側電話通信端末７に、呼び出し信号と共に、該当する発信側属性番号（１００）が与えられ、着信側電話通信端末７において発信側属性番号として、「１００」又は、重要顧客からの着信があった旨が着信側電話通信端末７のユーザに出力される（Ｓ２０６）。
【００７０】
そして、着信側電話通信端末７が応答すると、発信側電話通信端末２と着信側電話通信端末７との間で通話が確立され、その後通話は終了する（Ｓ２０７、Ｓ２０８）。
【００７１】
ユーザは上述のステップＳ２０６の時点で、着信した呼は、発信側番号非通知であるが、発信側属性番号が「１００」であるため重要顧客であることが認識でき、安心してその呼に応答することができる。また、例えば、この時点で、着信側電話通信端末７により出力される発信側属性番号が迷惑電話事業者を示す「２００」であった場合には、ユーザは着信した呼を無視することもできる。
【００７２】
（Ａ−３）実施形態の効果
この実施形態によれば、以下のような効果を奏することができる。
【００７３】
交換システム１０では、発信側電話通信端末２から着信側電話通信端末７への呼が、発信側番号非通知で発信された場合であっても、番号識別／割当装置５３に登録している発信側属性番号を着信側電話通信端末７に通知することにより、発信側番号自体を通知しなくても発信側番号に応じた動作を行うことができる。例えば、従来の電話システムでは、迷惑電話の対策として、発信側番号非通知の場合に全ての呼について、着信させずに発信側番号通知を促す音声ガイダンスを流す設定を着信側でしていた場合、発信側のユーザが着信側のユーザにとって重要顧客であっても同様の動作を行っていたが、この実施形態の交換システム１０では、発信側属性番号に応じた動作を行うため、発信側で発信側番号を通知する設定に変更したりなどする必要がないため、ユーザの負担が軽減する。
【００７４】
また、交換システム１０では、発信側電話通信端末２からの発信側番号自体ではなく、発信側属性番号を着信側電話通信端末７に通知するため、発信側番号自体が着信側電話通信端末７のユーザに知られず、発信側電話通信端末２のユーザのプライバシーをある程度保つことができる。
【００７５】
（Ｂ）他の実施形態
本発明は、上記の実施形態に限定されるものではなく、以下に例示するような変形実施形態も挙げることができる。
【００７６】
（Ｂ−１）上記の実施形態において、交換システム１０は、公衆電話網上（通信事業者）の交換システムに適用したものとして説明したが、ＰＢＸ（ＩＰ−ＰＢＸ）システムや、ＳＩＰシステムに適用しても良い。
【００７７】
（Ｂ−２）上記の実施形態においては、交換システム１０では、発信側電話通信端末２から着信側電話通信端末７に、発信側番号非通知で呼の発信があった場合にのみ、上述の発信側属性番号を検索して通知しているが、発信側の番号自体を通知する場合であっても、発信側属性番号を検索し、例えば、着信側電話通信端末７に通知するなどを行うようにしても良い。
【００７８】
これにより、例えば、着信側電話通信端末７に、発信側属性番号ごとに対応する動作の内容さえ登録していれば、発信側番号ごとに対応する動作の内容を登録していなくても、着信側電話通信端末７において発信元（発信側電話通信端末２）に応じた動作を行うことができる。
【００７９】
また、上記の実施形態においては、交換システム１０では、着信側電話通信端末７に、発信側電話通信端末２の番号を通知する手段を有するものとして説明したが、交換システム１０において、発信者番号を通知する手段を有するか否かに関わらず、発信側電話通信端末２に発信側属性番号を通知するようにしても良い。
【００８０】
（Ｂ−３）上記の実施形態においては、交換システム１０は、発信側属性番号を、着信側電話通信端末７に通知し、着信側電話通信端末７側で、通知された発信側属性番号に応じた動作を行っているが、交換システム１０側で、検出された発信側属性番号に応じた動作を行うようにしても良い。例えば、交換システム１０において、発信側属性番号として、発信側電話通信端末２のユーザが重要顧客であることを示す「１００」であった場合には、そのまま着信側電話通信端末７に呼を接続し、迷惑電話業者であることを示す「２００」であった場合には、その呼を着信側電話通信端末７に接続させず、発信側番号通知を促す音声メッセージを流す動作を行うようにしても良い。
【図面の簡単な説明】
【００８１】
【図１】実施形態に係る電話システムの全体構成を示すブロック図である。
【図２】実施形態に係る着信側交換装置内部の機能的構成について示したブロック図である。
【図３】実施形態に係る中継交換装置内部の機能的構成について示したブロック図である。
【図４】実施形態に係る電話システムにおいて発信側属性番号が登録される動作について示したシーケンス図である。
【図５】実施形態係る電話システムに発信側属性番号が通知される動作について示したシーケンス図である。
【符号の説明】
【００８２】
１…電話システム、２…発信側電話通信端末、３…発信側交換装置、４…公衆電話網、５…中継交換装置、５１…制御部、５２…スイッチ、５３…番号識別／割当装置、５３１…番号送出部、５３２…番号識別部、５３３…番号割当部、５３３ａ…発信側属性番号登録部、６…着信側交換装置、６１…制御部、６２…スイッチ、６３…番号識別装置、６３１…中継交換機側番号整合送出部、６３２…番号確認部、７…着信側電話通信端末、１０…交換システム。
【図１】
2010004268.tif 000003
【図２】
2010004268.tif 000004
【図３】
2010004268.tif 000005
【図４】
2010004268.tif 000006
【図５】
2010004268.tif 000007